(57)【特許請求の範囲】
【請求項１】
ミシンの押え棒に装着される押えホルダー部と、
該押えホルダー部に対して上下方向に摺動自在に支持される摺動軸と、
該摺動軸の下端に装着された押えと、
前記摺動軸を前記押えホルダー部に対して常時下方に弾性付勢する弾性部材とからなり、
布表面からの前記押えの高さ位置を調整する調整機構部が具備され、
前記押えホルダー部の上面に、前記摺動軸や押えの緩衝のための緩衝支持部を設けてなる
ことを特徴とするミシンの自由押え。 
【請求項２】
前記調整機構部は、前記摺動軸の上端に形成された螺子軸部と、内螺子部が形成された調節螺子部材とから構成され、該調節螺子部材を回動させることにより、前記螺子軸部と共に前記摺動軸を上下方向に移動させてなることを特徴とする請求項１に記載のミシンの自由押え。
【請求項３】
前記緩衝支持部は、上下方向に弾性圧縮可能に構成され、該緩衝支持部上に前記調整機構部が支持されてなることを特徴とする請求項１又は２に記載のミシンの自由押え。
【請求項４】
前記緩衝支持部と前記調整螺子部材との間に係止部及び被係止部が具備され、前記係止部と被係止部とが相互に係止して、前記調整螺子部材は、緩衝支持部上で回転方向において停止状態を維持させてなることを特徴とする請求項３に記載のミシンの自由押え。
【発明の詳細な説明】
【技術分野】
【０００１】
本発明は、フリーキルト縫いを行うための布押えであって、作業時における動作音が静粛であり、また縫製物の厚さに応じる縫製作業を行うことができると共に極めて簡単な構造としたミシンの自由押えに関する。
【背景技術】
【０００２】
従来、布等の縫製物において、ミシンを連続的に駆動しながら、縫製物を任意の方向に移動して、縫い目を形成してゆく、いわゆるフリーキルト縫いが行われている。このフリーキルト縫いでは、通常の縫製とはタイプの異なる押えが使用される。このフリーキルト縫いに適した従来タイプの押えとして、ミシンの針棒に隣接して設けられた押え棒に装着される装置である。そして、その装置の構造の概略として、押えホルダに上下方向に摺動自在な軸部材が備わっており、この軸部材に押えが設けられている。そして、コイルバネによって押えが常時下方に弾性的に付勢されている。
【０００３】
さらに、前記軸部材は、前記針棒の上下動にとともに、上下動するものであり、この軸部材の上下動によって、押えが上下動することになる。この押えの上下動における上昇動作工程の間で縫製物を所望の方向に移動させ、縫製を行ってゆくものである。特許文献１には、従来技術の構造が記載されており、連結部材が針棒の針止めに連結され、摺動軸が針棒の上下動と共に上下動を行うものである。
【特許文献１】実公昭６２−３２５４９号
【発明の開示】
【発明が解決しようとする課題】
【０００４】
しかし、特許文献１では、前記摺動軸が針棒の上下動とともに、激しく上下動するので、その作動音が大きくなり、ミシンの最高回転数を高く設定することができず、場合によっては作業の妨げとなることもある。また、布押え部は常時、針板上に接触するように、最下位置に弾性的に付勢されているので、厚物の縫製物に対しては、作業が行いにくくなる場合も有り得る。この発明の目的は、フリーキルト縫製において、種々の厚さの布に適応して縫製を行うことができ、しかも装置を極めて簡単な構造とすることにある。
【課題を解決するための手段】
【０００５】
そこで、発明者は上記課題を解決すべく鋭意，研究を重ねた結果、本発明を、ミシンの押え棒に装着される押えホルダー部と、該押えホルダー部に対して上下方向に摺動自在に支持される摺動軸と、該摺動軸の下端に装着された押えと、前記摺動軸を前記押えホルダー部に対して常時下方に弾性付勢する弾性部材とからなり、布表面からの前記押えの高さ位置を調整する調整機構部が具備され、前記押えホルダー部の上面に、前記摺動軸や押えの緩衝のための緩衝支持部を設けてなることを特徴とするミシンの自由押えとしたことにより、前記課題を解決した。 
【０００６】
次に、請求項２の発明は、前述の構成において、前記調整機構部は、前記摺動軸の上端に形成された螺子軸部と、内螺子部が形成された調節螺子部材とから構成され、該調節螺子部材を回動させることにより、前記螺子軸部と共に前記摺動軸を上下方向に移動させてなるミシンの自由押えとしたことにより、上記課題を解決した。次に、請求項３の発明は、前述の構成において、前記緩衝支持部は、上下方向に弾性圧縮可能に構成され、該緩衝支持部上に前記調整機構部が支持されてなるミシンの自由押えとしたことにより、上記課題を解決した。
【０００７】
次に、請求項４の発明は、前述の構成において、前記緩衝支持部と前記調整螺子部材との間に係止部及び被係止部が具備され、前記係止部と被係止部とが相互に係止して、前記調整螺子部材は、緩衝支持部上で回転方向において停止状態を維持させてなるミシンの自由押えとしたことにより、上記課題を解決したものである。
【発明の効果】
【０００８】
本発明によって、針棒に装着された針止めにピンを連結するようにして、その針棒の上下動と共に摺動軸を上下動させて、その摺動軸と共に布押えを上下動させるという従来タイプのものとは異なり、一針ごとに針止めとピンとの突当て音がなく、また押え足が上下動しないことから、ミシンの最高回転数を高く設定することができ、静かな縫製作業にすることが可能となる。
【０００９】
また、本発明によって、前記調整機構部は、前記摺動軸の上端に形成された外螺子部と、内螺子部が形成された調整調節螺子部材部材とから構成されることにより、極めて簡単な構造にすることができ且つ布押えの高さ位置を螺子によって、微調整を可能にすることができる。
【００１０】
また、本発明によって、前記押えホルダー部の上面には、上下方向に弾性圧縮可能な緩衝支持部が設けられ、該緩衝支持部上に前記調整機構部が支持されることによって、摺動軸，押えに何らかの外的な衝撃がかかった時の緩衝の役目をなすことができる。次に、本発明によって、前記調整機構部に衝撃がかかっても、その緩みを防止することができ、ひいては押えの位置が衝撃によって、変化することを防止でき、布の移動を略同等の移動力にて移動させることができるものである。
【発明を実施するための最良の形態】
【００１１】
以下に、本発明を図面に基づいて説明する。本発明は、図１に示すように、主に押えホルダー部Ａ、摺動軸５、弾性部材１４、調整機構部Ｂ及び押えＣとから構成される。前記押えホルダー部Ａは、図２（ａ）に示すように、支持本体部１の上下方向の両端に上部軸支部２及び下部軸支部３がそれぞれ形成されている。前記支持本体部１は、略板状に形成されたものである。
【００１２】
前記上部軸支部２及び下部軸支部３は、前記支持本体部１の表面側から外方に向って突出するようにして形成されたものであり、上部軸支部２及び下部軸支部３には摺動用貫通孔２ａ及び３ａがそれぞれ形成されている〔図２（ａ）参照〕。その摺動用貫通孔２ａ，３ａには、後述する摺動軸５が遊挿されるものである。さらに、前記支持本体部１には、ミシンの針棒１７に隣接して装着されている押え棒１６に連結する装着部４が形成されている。前記支持本体部１，上部軸支部２，下部軸支部３及び装着部４は、金属材から一体成形されたものである〔図２（ａ）参照〕。
【００１３】
次に、摺動軸５は、前記上部軸支部２と下部軸支部３の摺動用貫通孔２ａ，３ａに遊挿されて、上下方向に摺動自在に軸支される。その摺動軸５は、前記上部軸支部２と下部軸支部３によって支持されると共に、上下方向に摺動を行い、後述する調整機構部Ｂと共に、押えＣの高さ位置を調整するものである。
【００１４】
その摺動軸５の下端には、図１，図２に示すように、押えＣが形成されている。該押えＣは、布押え部６とアーム部７とから構成されたものである。前記布押え部６は、フレーム部６ａと押え板部６ｂとから構成されている。前記フレーム部６ａは、略円形輪状に形成され、その内部に前記押え板部６ｂが装着されている。
【００１５】
該押え板部６ｂは、透明板でプラスチック等の合成樹脂から形成されている。その押え板部６ｂの中心位置には針用貫通孔６ｃが形成されている〔図１（ｄ），図２（ａ）参照〕。また、前記アーム部７は、帯板形状をなしており、その長手方向の一端が前記摺動軸５の下端に固着され、前記アーム部７を介して前記摺動軸５の下端から少し離れた位置に布押え部６が存在するようになっている。
【００１６】
前記押えＣの布押え部６の下面側は、略椀形状に形成されている。そして、この椀形状とした部位は椀形底面部６ａ１と称する。該椀形底面部６ａ１は、具体的には前記フレーム部６ａの下面側の外周形状が下方から上方に向うに従い次第に外形が大きくなるように形成されている。たとえば、前記椀形底面部６ａ１は、フレーム部６ａの形状が円形輪状とした実施形態のものであれば、そのフレーム部６ａは、下方から上方に向うに従い次第に直径が大きくなるように形成されている。
【００１７】
そして、そのフレーム部６ａの下面側外周面は傾斜面であり、且つ外方に膨出するように曲面形状であることが好ましい。このように、布押え部６に椀形底面部６ａ１が形成されることにより、押えＣに針板上に押え付けられた布を手動で移動させるときに、布押え部６の外周の縁に引っかかることを防止でき、フリーキルト縫い作業を円滑に行うことができる。
【００１８】
前記押えホルダー部Ａの上部軸支部２の上面には、緩衝支持部８が装着される。該緩衝支持部８は、帯板状の金属材が折り返し状に屈曲形成されたものである。その折り返しの屈曲部分は円弧状に形成された屈曲部8ｃと称する。そして、該屈曲部8ｃによって折り返し状態で対向する２枚の上片８ａ及び下片８ｂとが弾性的に略平行状態を維持するもので、荷重がかかることによって、前記上片８ａ及び下片８ｂとが弾性を有して近接する弾性圧縮可能としたものである。
【００１９】
前記上片８ａには、前記摺動軸５が挿通する貫通孔８ｄが形成されている。また、前記下片８ｂは、前記上片８ａよりも短く形成されている。そして、その緩衝支持部８の下片８ｂが前記上部軸支部２の上面にビス等の固着具１５にて固着される。前記上片８ａには、前記固着具１５を締め付けるためのドライバ用貫通孔８ｅが形成されている。
【００２０】
前記摺動軸５には、その軸方向に直交する方向にガイドピン９が貫通固着されている。ガイドピン９は、前記押えホルダー部Ａに形成されたガイド長孔１ａに遊挿されて、摺動軸５が軸周方向に空転しないで上下動のみ可能とさせる役目をなすものである。そして、前記緩衝支持部８が押えホルダー部Ａに装着された状態で、前記摺動軸５が上部軸支部２，下部軸支部３及び前記緩衝支持部８の上片８ａ及び下片８ｂの貫通孔８ｄに遊挿され、且つ前記上部軸支部２及び下部軸支部３との間に弾性部材１４が装着され、該弾性部材１４の下端が前記ガイドピン９によって支持されるようになっている。その弾性部材１４としては、コイルスプリングが使用され、その摺動軸５を常時下方に弾性付勢するものである。
【００２１】
前記摺動軸５の軸方向において、前記押えＣが装着されている側の反対側、すなわち、上端側には、螺子軸部１０が前記摺動軸５と同一軸方向に沿って形成されている〔図２（ａ）及び図３（ａ），（ｂ）参照〕。螺子軸部１０は、前記摺動軸５よりも直径は小さく形成されている。この螺子軸部１０には、後述する調整螺子部材１１と螺合して、調整機構部Ｂを構成する。前記調整螺子部材１１は、略円筒形状をなしており、内部に内螺子部１１ａが形成されている。
【００２２】
そして、前記調整機構部Ｂは、布１８表面からの前記押えＣの高さ位置を調整する役目をなすものである。具体的には、前記調整螺子部材１１の内螺子部１１ａが前記螺子軸部１０と螺合し、前記調整螺子部材１１を適宜に回転させることで、前記螺子軸部１０と共に前記摺動軸５を上下方向に移動させ、前記押えＣの布押え部６の布１８からの高さ位置を調節することができる。さらに、前記螺子軸部１０の上端には、前記調整螺子部材１１が螺子軸部１０から外れないように、ストッパ１２が固着されている。該ストッパ１２は、具体的には、前記螺子軸部１０の直径よりも大きな頭部を有するビスが使用される（図３参照）。
【００２３】
また、前記緩衝支持部８の上片８ａと前記調整螺子部材１１には、係止部１３ａ及び被係止部１３ｂが形成されている（図２参照）。そして、係止部１３ａと被係止部１３ｂとが相互に係止することにより、前記調整螺子部材１１は、緩衝支持部８の上片８ａ上で回転方向において停止状態を維持させることができるものである。
【００２４】
具体的には、前記係止部１３ａは前記貫通孔８ｄの周囲に放射状に形成された複数の突起からなり、また前記被係止部１３ｂは、調整螺子部材１１の裏面側の内螺子部１１ａの周囲に放射状に形成された溝とからなる。そして、その突起状の係止部１３ａが溝状の被係止部１３ｂに係止することにより、前記調整螺子部材１１が回転方向に停止する状態を維持することができるものである〔図１（ｄ）及び図２（ｃ）参照〕。
【００２５】
本発明は、まず、図７に示すように、本発明における押え具の押えホルダー部Ａに形成された装着部４を押え棒１６の所定位置に配置して、止螺子１６ａによって固定される。そして、針棒１７に装着された、針が押え板部６ｂに形成された針用貫通孔６ｃを通過するように設定される。
【００２６】
次に、布１８の厚さｔに応じて調整螺子部材１１を適宜に回転させて、前記摺動軸５を上下方向に移動させ、前記押えＣを布１８の厚さｔと略同一の高さｈとなるように位置合せを行う。そして、ミシンのスイッチをオンにして、前記布１８を手動でもって所望の方向にさせながら、模様を描きフリーキルト縫いを行う（図８参照）。前記布１８の厚さｔが変化する部分では、押えＣの布押え部６がその厚さｔが厚くなる部分にて前記弾性部材１４の弾性力に効して、上昇し布１８の変化に常時対応することができるものである（図６参照）。
【図面の簡単な説明】
【００２７】
【図１】（ａ）は本発明の斜視図、（ｂ）は本発明の側面図、（ｃ）は本発明の正面図、（ｄ）は本発明の平面図である。
【図２】（ａ）は本発明の分解斜視図、（ｂ）は調節螺子部材の下面より見た斜視図、（ｃ）は係止部と被係止部とが係止した状態を示す拡大略示図である。
【図３】（ａ）は本発明の縦断側面図、（ｂ）は押えを上昇させた状態の本発明の縦断側面図である。
【図４】図３のＸ-Ｘ矢視断面図である。
【図５】押えを布の厚さに合わせて高さ位置を設定した状態の縦断側面図である。
【図６】押えが布の厚さに応じて上下動する状態を示す要部拡大断面図である。
【図７】（ａ）は本発明と押え棒の斜視図、（ｂ）は本発明を押え棒に装着した斜視図である。
【図８】本発明を使用した縫製作業の作用図である。
【符号の説明】
【００２８】
Ａ…押えホルダー部、Ｂ…調整機構部、Ｃ…押え、５…摺動軸、６ａ１…椀形底面部、
８…緩衝支持部、９…ガイドピン、1ａ…ガイド長孔、１０…螺子軸部、
１１…調整螺子部材、１３ａ…係止部、１３ｂ…被係止部、１４…弾性部材。
【図１】
0004848176.tif 000002
【図２】
0004848176.tif 000003
【図３】
0004848176.tif 000004
【図４】
0004848176.tif 000005
【図５】
0004848176.tif 000006
【図６】
0004848176.tif 000007
【図７】
0004848176.tif 000008
【図８】
0004848176.tif 000009